(57)【要約】【課題】障害釘を装飾する装飾部材を取り外すことなく障害釘の調整を行うことができるパチンコ機の装飾装置を提供すること。【解決手段】遊技盤ｐの遊技領域ｒに配設された多数の障害釘ｎの一部を装飾するパチンコ機の装飾装置Ａであって、障害釘ｎの近傍で遊技盤ｐに取付けられる支持部材１に装飾部材７を回転軸８によって回動可能に設け、その装飾部材７を障害釘ｎの前面を覆う装飾位置（図１）と、その障害釘の前面を覆わない非装飾位置（図２）とに切替可能に設けた。【選択図】図１
2007143901.tif 000002
【特許請求の範囲】
【請求項１】
遊技盤の遊技領域に配設された多数の障害釘の一部を装飾するパチンコ機の装飾装置であって、
前記障害釘の近傍で前記遊技盤に取付けられる支持部材に装飾部材を回動可能に設け、その装飾部材を前記障害釘の前面を覆う装飾位置と、その障害釘の前面を覆わない非装飾位置とに切替可能に設けたことを特徴とするパチンコ機の装飾装置。
【請求項２】
前記装飾部材が回転軸によって前記支持部材に回動可能に設けられ、かつ、固定手段によって前記障害釘の前面を覆う装飾位置に固定することができるように設けられていることを特徴とする請求項１に記載のパチンコ機の装飾装置。
【請求項３】
前記装飾部材の裏面側に、前記障害釘の頭部に係合させるための係合部を設けたことを特徴とする請求項１又は２に記載のパチンコ機の装飾装置。
【請求項４】
前記装飾部材の一部若しくは全体が透明な合成樹脂材料により形成されていることを特徴とする請求項１〜３の何れかに記載のパチンコ機の装飾装置。
【請求項５】
前記装飾部材の表面側に、薄板形状の表示装置を設置したことを特徴とする請求項１〜３の何れかに記載のパチンコ機の装飾装置。
【請求項６】
前記装飾部材に、電飾装置を構成する発光素子を設置したことを特徴とする請求項１〜３の何れかに記載のパチンコ機の装飾装置。
【請求項７】
前記装飾部材の回転軸内に空洞部を形成し、その空洞部に前記表示装置若しくは電飾装置に係わる電気配線を挿通するようにしたことを特徴とする請求項５又は６に記載のパチンコ機の装飾装置。
【請求項８】
前記装飾部材の回転軸が、前記支持部材の取付面に直交する方向に配置され、かつ、弾性部材によって常に該取付面側に付勢されるように設けられていることを特徴とする請求項１〜７の何れかに記載のパチンコ機の装飾装置。
【発明の詳細な説明】
【技術分野】
【０００１】
本発明は、遊技領域に配設された多数の障害釘の一部を装飾するパチンコ機の装飾装置に関するものである。
【背景技術】
【０００２】
パチンコ機の遊技領域には、図柄を変動表示するための大型液晶表示装置、入賞口、入賞装置や風車等が配設されていて、それらは遊技盤を装飾する機能をも担っている。また、遊技領域に配設された障害釘に関しても、遊技領域の装飾性を高める観点から装飾を施すことが試みられている。
【０００３】
例えば、特開２００３−２０５０７６号公報には、遊技領域に植設された障害釘の頭部に装飾本体の嵌着部をはめ込んで取り付ける構造の装飾装置が開示されている。
【０００４】
また、特開２００３−２９０４４７号公報には、遊技領域に植設された障害釘の頭部に表示部材の嵌合孔を嵌合させることにより当該表示部材を障害釘に取り付けるようにしたパチンコ機が開示されている。また、その表示部材の表面には、文字、キャラクター等を表示することが記載されている。
【０００５】
ところが、上記何れの公報に記載の出願発明においても、障害釘の調整を行なう際に装飾本体（表示部材）を障害釘から一々取り外し、釘調整後に再び障害釘に取り付けなければならない。釘調整を施すパチンコ機が多くなればなるほど、その取り外し取付け作業が煩わしくなると言えよう。そこで、かかる問題点を改善する対策が望まれていた。
【特許文献１】特開２００３−２０５０７６号公報
【特許文献２】特開２００３−２９０４４７号公報
【発明の開示】
【発明が解決しようとする課題】
【０００６】
本発明の目的は、障害釘を装飾する装飾部材を取り外すことなく障害釘の調整を行うことができるパチンコ機の装飾装置を提供することにある。
【課題を解決するための手段】
【０００７】
前記目的を達成するために請求項１に記載した発明は、遊技盤の遊技領域に配設された多数の障害釘の一部を装飾するパチンコ機の装飾装置であって、
前記障害釘の近傍で前記遊技盤に取付けられる支持部材に装飾部材を回動可能に設け、その装飾部材を前記障害釘の前面を覆う装飾位置と、その障害釘の前面を覆わない非装飾位置とに切替可能に設けたことを特徴とする。
【０００８】
同様の目的を達成するために請求項２に記載した発明は、請求項１に記載のパチンコ機の装飾装置において、前記装飾部材が回転軸によって前記支持部材に回動可能に設けられ、かつ、固定手段によって前記障害釘の前面を覆う装飾位置に固定することができるように設けられていることを特徴とするものである。
【０００９】
同様の目的を達成するために請求項３に記載した発明は、請求項１又は２に記載のパチンコ機の装飾装置において、前記装飾部材の裏面側に、前記障害釘の頭部に係合させるための係合部を設けたことを特徴とするものである。
【００１０】
同様の目的を達成するために請求項４に記載した発明は、請求項１〜３の何れかに記載のパチンコ機の装飾装置において、前記装飾部材の一部若しくは全体が透明な合成樹脂材料により形成されていることを特徴とするものである。
【００１１】
同様の目的を達成するために請求項５に記載した発明は、請求項１〜３の何れかに記載のパチンコ機の装飾装置において、前記装飾部材の表面側に、薄板形状の表示装置を設置したことを特徴とするものである。
【００１２】
同様の目的を達成するために請求項６に記載した発明は、請求項１〜３の何れかに記載のパチンコ機の装飾装置において、前記装飾部材に、電飾装置を構成する発光素子を設置したことを特徴とするものである。
【００１３】
同様の目的を達成するために請求項７に記載した発明は、請求項５又は６に記載のパチンコ機の装飾装置において、前記装飾部材の回転軸内に空洞部を形成し、その空洞部に前記表示装置若しくは電飾装置に係わる電気配線を挿通するようにしたことを特徴とするものである。
【００１４】
同様の目的を達成するために請求項８に記載した発明は、請求項１〜７の何れかに記載のパチンコ機の装飾装置において、前記装飾部材の回転軸が、前記支持部材の取付面に直交する方向に配置され、かつ、弾性部材によって常に該取付面側に付勢されるように設けられていることを特徴とするものである。
【発明の効果】
【００１５】
このパチンコ機の装飾装置は、装飾部材を障害釘の前面を覆う装飾位置と、障害釘の前面を覆わない非装飾位置とに切替可能としているので、装飾部材で前面を覆われる位置にある障害釘であっても、当該装飾部材を取り外すことなく釘調整を容易に施すことができる。このため、従来の装飾部材を障害釘の頭部に固定する構造のものと比べて大変取り扱い易くなった。
【００１６】
また、装飾部材の一部若しくは全体を透明な合成樹脂材料により形成することにより、障害釘の状態が視認できるので、遊技の興趣を阻害する危惧はない。
【００１７】
さらに、装飾部材に液晶表示器等の表示装置又は電飾装置を構成する発光素子を設置することにより、従来の装飾部材を障害釘の頭部に固定する構造のものと比べて格段に装飾性を高めることができる。加えて、表示装置若しくは電飾装置に係わる電気配線を装飾部材の回転軸内に挿通させることにより、電気配線の処理を体裁よく行なえる。
【発明を実施するための最良の形態】
【００１８】
以下に、本発明の最良の形態例を図面に基づいて説明する。図１は第１実施形態にかかるパチンコ機の装飾装置であって、装飾部材を障害釘の前面を覆う装飾位置とした状態を示す説明図、図２は図１において、装飾部材を障害釘の前面を覆わない非装飾位置とした状態を示す説明図、図３は第２実施形態にかかるパチンコ機の装飾装置であって、装飾部材を障害釘の前面を覆う装飾位置とした状態を示す断面図、図４は図３において、装飾部材を支持部材から浮かせた状態を示す断面図、図５は第３実施形態にかかるパチンコ機の装飾装置であって、装飾部材を障害釘の前面を覆う装飾位置とした状態を示す断面図、図６は装飾部材の斜視図、図７は第４実施形態にかかるパチンコ機の装飾装置であって、装飾部材を障害釘の前面を覆う装飾位置とした状態を示す断面図、図８は装飾部材の縦断側面図、図９は第５実施形態にかかるパチンコ機の装飾装置における装飾部材の縦断側面図、図１０は第６実施形態にかかるパチンコ機の装飾装置であって、（イ）装飾部材を非装飾位置とした状態及び（ロ）障害釘の前面を覆う装飾位置とした状態の説明図、図１１は図１０に示す装飾装置の分解斜視図、図１２は第２実施形態にかかる装飾装置が適用されたパチンコ機の正面図、図１３は図１２における装飾部材を非装飾位置とした状態を示す説明図である。
【００１９】
（第１実施形態）
本発明のパチンコ機の装飾装置は、遊技盤の遊技領域に配設された障害釘の一部を装飾するものであり、第１実施形態にかかるパチンコ機の装飾装置Ａを図１に示す。
【００２０】
上記装飾装置Ａの支持部材１は、遊技盤ｐにビス等により取付けられる円形の座部１ａから突出するように胴部１ｃが形成されている。その胴部１ｃの中心には、座部１ａの取付面１ｂに直交する方向に軸孔２を設けると共に該取付面１ｂ側から当該軸孔２と同心状に所定深さの大径の孔３が設けられている。
【００２１】
装飾部材７は、ほぼ矩形状の平板片７ａとされていて、その裏面一端寄りに回転軸８が直交方向に突設されている。この装飾部材７は、回転軸８を前記支持部材１の軸孔２に挿入することにより回転可能に設けられている。その回転軸８は、軸孔２から内方に突出する軸部分に弾性部材としてのコイルバネ９を介装してから円形の抜け止め片１０をビス（図示せず）により締付け固定され、常に取付面１ｂ側に付勢されるように設けられている。言い換えると、装飾部材７は、コイルバネ９の付勢力が常に取付面１ｂ側に作用することによって所定位置に位置決め固定される。このコイルバネ９がない場合には、装飾部材７に対するパチンコ球の衝突作用により当該装飾部材７が所定位置から動いてしまうという虞を生ずる。なお、この実施形態では弾性部材としてコイルバネ９を採用しているが、これに代えて柔軟なゴム片を採用することもできる。
【００２２】
しかして、この装飾装置Ａは、所定の障害釘ｎの近傍に支持部材１を取り付けられた場合において、装飾部材７を回転させることにより障害釘ｎの前面を覆う装飾位置（図１）と、その障害釘ｎの前面を覆わない非装飾位置（図２）とに変換可能に設けられる。
【００２３】
なお、装飾部材７により装飾される障害釘ｎについては、図２に示すように装飾を施さない他の障害釘よりも深く打ちこむか、短い釘を用いることにより遊技盤ｐの表面からの高さを他の障害釘の高さより少し低く設けることも可能である。これにより、遊技盤面とガラス面との間隔が狭い場合であっても、装飾を施されない障害釘の頭部の高さと装飾装置Ａにおける装飾部材７の表面との高さを揃えることができるため、見栄えが良くなる。
【００２４】
（第２実施形態）
第２実施形態にかかるパチンコ機の装飾装置Ｂは、装飾部材を固定手段によって障害釘の前面を覆う装飾位置に固定可能に設けているが（請求項２に対応）、基本的構造については第１実施形態にかかるパチンコ機の装飾装置Ａと同様の構造とされている。よって、それと同一構成部分については、第１実施形態の説明に用いた符号に対応する符号を図面に記載して説明を省略する。
【００２５】
上記装飾装置Ｂの支持部材２１は、図４に示すように、胴部２１ｃの端面に円形状の窪み２４を形成し、その窪み２４に二つの係止突起２５，２５が軸孔２２を挟むように設けられている。
【００２６】
他方の装飾部材２７については、平板片２７ａの裏面に一体に形成された回転軸２８の付け根部分の膨出部２７ｂに、前記支持部材２１の係止突起２５，２５に係合させる凹部２７ｃ，２７ｃが設けられている。
【００２７】
なお、この凹部２７ｃ，２７ｃと係止突起２５，２５とによる係合構造は、固定手段の一例であり、この構造に限定されることはない。
【００２８】
しかして、この装飾装置Ｂは、所定の障害釘ｎの近傍に支持部材２１を取り付けられた場合において、装飾部材２７をコイルバネ２９の反力に抗して手前に引き寄せつつ回転させることにより、障害釘ｎの前面を覆う装飾位置（図３）と、その障害釘ｎの前面を覆わない非装飾位置（図示せず）とに変換可能に設けられる。装飾部材２７は、図３に示すように、凹部２７ｃが係止突起２５に係合することにより障害釘ｎの前面を覆う装飾位置に位置決め固定される。
【００２９】
（第３実施形態）
第３実施形態にかかるパチンコ機の装飾装置Ｃは、装飾部材の裏面側に障害釘の頭部に係合させるための係合部を設けているが（請求項３に対応）、基本的構造については第２実施形態にかかるパチンコ機の装飾装置Ｂと同様の構造とされている。よって、それと同一構成部分については、第２実施形態の説明に用いた符号に対応する符号を図面に記載して説明を省略する。
【００３０】
即ち、装飾部材３７については、平板片３７ａの裏面の長手方向に所定間隔を置いて３個の突起部３７ｄを形成し、障害釘の頭部に対応させてほぼＵ字形状の係合部３７ｅが各突起部３７ｄに夫々設けられている（図６）。その装飾部材３７の係合部３７ｅを除く他の構成については、第２実施形態における装飾部材２７と同じ構成とされている。
【００３１】
しかして、この装飾装置Ｃは、所定の障害釘ｎの近傍に支持部材３１を取り付けられた場合において、装飾部材３７をコイルバネ３９の反力に抗して手前に引き寄せつつ回転させることにより、障害釘ｎの前面を覆う装飾位置（図５）と、その障害釘ｎの前面を覆わない非装飾位置（図示せず）とに変換可能に設けられる。装飾部材３７は、図５に示すように、凹部３７ｃが係止突起３５に係合すると共に、障害釘ｎの頭部ｃに係合部３７ｅが係合することにより障害釘ｎの前面を覆う装飾位置に確実に固定される。
【００３２】
なお、前記第１実施形態〜第３実施形態における装飾部材７，２７，３７については、一部若しくは全体を透明な合成樹脂材料により形成してもよい。これにより、それら装飾部材が障害釘を覆う装飾状態とされていても釘の状態を視認することができる。
【００３３】
（第４実施形態）
第４実施形態にかかるパチンコ機の装飾装置Ｄは、装飾部材の表面側に薄板形状の液晶表示器を設けているが（請求項５及び請求項７に対応）、基本的構造については第３実施形態にかかるパチンコ機の装飾装置Ｃとほぼ同様の構造とされている。よって、それと同一構成部分については、第３実施形態の説明に用いた符号に対応する符号を図面に記載して説明を省略する。
【００３４】
上記装飾装置Ｄの装飾部材４７については、図８に示すように、平板片４７ａの表面側に薄板形状の液晶表示器５５を嵌め込むための矩形状凹部４７ｆと当該凹部４７ｆから少し深く窪ませた配線用溝４７ｇとが形成されている。また、平板片４７ａの裏面に一体に形成された回転軸４８の内方には、液晶表示器５５の電気配線５６を挿通するための空洞部４８ａが形成されている。平板片４７ａの裏面に１個の突起部４７ｄを形成し、障害釘の頭部に対応させてほぼＵ字形状の係合部４７ｅが突起部４７ｄに設けられている。
【００３５】
上記装飾部材４７は、図７に示すように、回転軸４８を支持部材４１の軸孔４２に挿入し、その軸孔４２から内方に突出する軸部分にコイルバネ４９を介装してから円形の抜け止め片５０が接着剤によって固定されている。
【００３６】
しかして、この装飾装置Ｄは、所定の障害釘ｎの近傍に支持部材４１を取り付けられた場合において、装飾部材４７をコイルバネ４９の反力に抗して手前に引き寄せつつ回転させることにより、障害釘ｎの前面を覆う装飾位置（図７）と、その障害釘ｎの前面を覆わない非装飾位置（図示せず）とに変換可能に設けられる。なお、この実施形態では表示装置として液晶表示器５５を採用しているが、これに代えてドットマトリクスや７セグメント表示器等を採用することもできる。
【００３７】
（第５実施形態）
第５実施形態にかかるパチンコ機の装飾装置Ｅは、装飾部材に電飾装置を構成する発光素子を設置しているが（請求項６に対応）、基本的構造については第３実施形態にかかるパチンコ機の装飾装置Ｃとほぼ同様の構造とされている。よって、それと同一構成部分については、第３実施形態の説明に用いた符号に対応する符号を図面に記載して説明を省略する。なお、この装飾装置Ｅの支持部材については、図示を省略した。
【００３８】
図９に示すように、装飾部材６７は、平板片６７ａに２個の小孔６７ｆを形成し、それらの小孔６７ｆに電飾装置の回路基板７５に備えられた発光素子７６が臨むように設けられている。また、平板片６７ａの裏面に一体に形成された回転軸６８の内方には、回路基板７５の電気配線を挿通するための空洞部６８ａが形成されている。また、平板片６７ａの裏面に１個の突起部６７ｄを形成し、その突起部６７ｄに、障害釘の頭部に対応させたほぼＵ字形状の係合部６７ｅが設けられている。
【００３９】
（第６実施形態）
第６実施形態にかかるパチンコ機の装飾装置Ｆは、図１０に示すように、遊技盤に取り付けられる支持部材８１に装飾部材８５を水平方向に所定角度内で回転可能とした丁番式構造とされている。
【００４０】
図１１に示すように、上記装飾装置Ｆの支持部材８１は、四角形の合成樹脂製厚板８２の四隅に取付穴８３を形成し、厚板８２の前面８２ａの一端寄りに突条支持部８４が縦向きに形成されている。その突条支持部８４は逆Ｕ字形断面とされていて、両側の突片８４ａを弾性変形可能に設けている。８５は厚板８２の中央寄りに設けられた四角形の係合孔である。
【００４１】
装飾部材８６は、横長四角形の平板８７の側端部８７ｃに縦向きに回転軸８８を一体に形成すると共に当該平板８７の裏面８７ｂに前記支持部材８１の係合孔８５に係合可能な係止突起８９が設けられている。しかして、支持部材８１の突片８４ａ，８４ａの間に装飾部材８６の回転軸８８を係合させることにより、装飾部材８６は支持部材８１に回転可能に取り付けられる。
【００４２】
この装飾装置Ｆは、所定の障害釘の近傍に支持部材８１を取り付けられた場合において、装飾部材８６を遊技盤側へ回転させることにより図１０（イ）に示す障害釘の前面を覆う装飾位置と、同図（ロ）に示す障害釘の前面を覆わない非装飾位置とに変換可能に設けられる。ただし、装飾部材８６を装飾位置とするときには、後記前面装飾枠９１を開いた状態にすることを要する。
【００４３】
つぎに、本発明の第２実施形態にかかる装飾装置Ｂをパチンコ機９０に適用した場合ついて説明する。
このパチンコ機９０は、図１２に示すように、前面装飾枠９１に上方寄りの中央に形成された大きな開口部９２に遊技盤ｐの前面を覆う透明板ガラス９３を装着し、その開口部９２の下方に貯留皿９４、遊技球発射装置の発射ハンドル９５等を配設している。
【００４４】
遊技盤ｐの図示しない遊技レールによって区画される遊技領域ｒには、中央役物９６、入賞口９７、大入賞口９８等が配設されている。そして、その大入賞口９８の両端上方に、本発明の第２実施形態にかかる装飾装置Ｂが左右に設置されている。
【００４５】
このパチンコ機の装飾装置Ｂでは、装飾部材２７を障害釘ｎの前面を覆う装飾位置（図１２）と、障害釘ｎの前面を覆わない非装飾位置（図１３）とに切り替えることができる。しかして、装飾を施した箇所の釘調整作業を行う場合には、装飾部材２７を非装飾位置に移動させた状態とすることにより釘調整を容易に行うことができる。
【００４６】
以上に述べた通り、このパチンコ機の装飾装置は、装飾部材を障害釘の前面を覆う装飾位置と、障害釘の前面を覆わない非装飾位置とに切替可能としているので、装飾部材で前面を覆われる位置にある障害釘であっても、当該装飾部材を取り外すことなく釘調整を容易に施すことができる。
【図面の簡単な説明】
【００４７】
【図１】第１実施形態にかかるパチンコ機の装飾装置であって、装飾部材を障害釘の前面を覆う装飾位置とした状態を示す説明図
【図２】図１において、装飾部材を障害釘の前面を覆わない非装飾位置とした状態を示す説明図
【図３】図３は第２実施形態にかかるパチンコ機の装飾装置であって、装飾部材を障害釘の前面を覆う装飾位置とした状態を示す断面図
【図４】図３において、装飾部材を支持部材から浮かせた状態を示す断面図
【図５】第３実施形態にかかるパチンコ機の装飾装置であって、装飾部材を障害釘の前面を覆う装飾位置とした状態を示す断面図
【図６】装飾部材の斜視図
【図７】第４実施形態にかかるパチンコ機の装飾装置であって、装飾部材を障害釘の前面を覆う装飾位置とした状態を示す断面図
【図８】装飾部材の縦断側面図
【図９】第５実施形態にかかるパチンコ機の装飾装置における装飾部材の縦断側面図
【図１０】第６実施形態にかかるパチンコ機の装飾装置であって、（イ）装飾部材を非装飾位置とした状態及び（ロ）障害釘の前面を覆う装飾位置とした状態の説明図
【図１１】図１０に示す装飾装置の分解斜視図
【図１２】第２実施形態にかかる装飾装置が適用されたパチンコ機の正面図
【図１３】図１０における装飾部材を非装飾位置とした状態を示す説明図
【符号の説明】
【００４８】
Ａ〜Ｆ・・・パチンコ機の装飾装置
ｐ・・・遊技盤
ｒ・・・遊技領域
ｎ・・・障害釘
１，２１，３１・・・支持部材
７，２７，３７・・・装飾部材
８，２８，３８・・・回転軸
２５，３５・・・係止突起（固定手段）
２７ｃ，３７ｃ・・・凹部（固定手段）
３７ｅ・・・係合部
５５・・・表示装置
７６・・・発光素子
８１・・・支持部材
８６・・・装飾部材
８８・・・回転軸
【図１】
2007143901.tif 000003
【図２】
2007143901.tif 000004
【図３】
2007143901.tif 000005
【図４】
2007143901.tif 000006
【図５】
2007143901.tif 000007
【図６】
2007143901.tif 000008
【図７】
2007143901.tif 000009
【図８】
2007143901.tif 000010
【図９】
2007143901.tif 000011
【図１０】
2007143901.tif 000012
【図１１】
2007143901.tif 000013
【図１２】
2007143901.tif 000014
【図１３】
2007143901.tif 000015